(57)【要約】【課題】  本考案は、タオル体の内側面にポケットを設け、このポケットに予め下着等を収容しておくことにより下着を着ける際に第三者に下着を見られたりする不快感をなくすと共に着替えをスムーズに行えるインナーポケット付き巻タオルを提供する。【解決手段】  インナーポケット付き巻タオル１０のタオル体１２の上端部１２Ａにはゴム紐挿入部１４が横方向に向って形成されている。このゴム紐挿入部１４の内部にはゴム紐１６が挿入されている。ゴム紐挿入部１４の一端部１４Ａとタオル体１２の一端部１２Ｂにはオスボタン１８Ａが取り付けられている。また、ゴム紐挿入部１４の他端部１４Ｂとタオル体１２の他端部１２Ｃにはメスボタン１８Ｂが取り付けられている。前記タオル体１２の内側面１２Ｄの中間部には下着等を収容できるポケット２０が形成されている。【選択図】  図１
0003116864.tif 000002
【実用新案登録請求の範囲】
【請求項１】
タオル体と、このタオル体の上端部に設けられた弾性体と、前記タオル体の一端部と他端部に取り付けられた係止具と、前記タオル体の内側面に形成されたポケットと、を有してなることを特徴とするインナーポケット付き巻タオル。
【請求項２】
タオル体と、このタオル体の上端部にタオル体の上端部の横方向に沿って形成された弾性体挿入部と、この弾性体挿入部に挿入された弾性体と、前記タオル体の一端部と他端部に取り付けられた係止具と、前記タオル体の内側面に形成されたポケットと、を有してなることを特徴とするインナーポケット付き巻タオル。
【請求項３】
矩形状に形成されたタオル体と、このタオル体の上端部にタオル体の横方向に沿って形成されたゴム紐挿入部と、このゴム紐挿入部に挿入されると共に一端部と他端部がそれぞれ前記ゴム紐挿入部に固定されたゴム紐と、前記タオル体の一端部に取り付けられた第１係止具と、前記タオル体の他端部に取り付けられると共に前記第１係止具と係止可能な第２係止具と、前記タオル体の内側面に形成されたポケットと、を有してなることを特徴とするインナーポケット付き巻タオル。
【考案の詳細な説明】
【技術分野】
【０００１】
本考案は、主に海岸等の屋外で着替えをする場合に使用されるインナーポケット付き巻タオルに関する。
【背景技術】
【０００２】
海水浴をした場合等において屋外で水着から服に着替える場合に大きなタオルを身体に巻いてからバッグ等に入れた下着を取り出し、前記タオルで身体を隠し下着を着けて服を着る着替えを行う場合がある。
このような場合、大きなタオルを身体に巻いた後にバッグ等から下着を取り出すと下着を第三者に見られる不快感を感じると共にタオルを巻いた状態で下着をバッグ等から取り出す作業を行うため着替えをスムーズに行うことができない。
【考案の開示】
【考案が解決しようとする課題】
【０００３】
本考案は、上記事実に鑑みなされたものでありタオル体の内側面にポケットを設け、このポケットに予め下着等を収容しておくことにより下着を着ける際に第三者から下着を見られたりする不快感をなくすと共に着替えをスムーズに行うことができるインナーポケット付き巻タオルを提供するものである。
【課題を解決するための手段】
【０００４】
請求項１の考案は、タオル体と、このタオル体の上端部に設けられた弾性体と、前記タオル体の一端部と他端部に取り付けられた係止具と、前記タオル体の内側面に形成されたポケットと、を有してなることを特徴としている。
請求項２の考案は、タオル体と、このタオル体の上端部にタオル体の上端部の横方向に沿って形成された弾性体挿入部と、この弾性体挿入部に挿入された弾性体と、前記タオル体の一端部と他端部に取り付けられた係止具と、前記タオル体の内側面に形成されたポケットと、を有してなることを特徴としている。
請求項３の考案は、矩形状に形成されたタオル体と、このタオル体の上端部にタオル体の横方向に沿って形成されたゴム紐挿入部と、このゴム紐挿入部に挿入されると共に一端部と他端部がそれぞれ前記ゴム紐挿入部に固定されたゴム紐と、前記タオル体の一端部に取り付けられた第１係止具と、前記タオル体の他端部に取り付けられると共に前記第１係止具と係止可能な第２係止具と、前記タオル体の内側面に形成されたポケットと、を有してなることを特徴としている。
【考案の効果】
【０００５】
本考案は、タオル体の内側面に形成されたポケットに予め下着を収容しておけば着替えをする場合に下着を第三者から見られるという不快感を防止できると共に着替えをスムーズに行うことができるという優れた効果を有する。
請求項２及び請求項３の本考案は、前記優れた効果の他にインナーポケット付き巻タオルを手で押えていなくてもインナーポケット付き巻タオルがずり落ちることがないので両手で着替えをスムーズに行うことができるという優れた効果を有する。
【考案を実施するための最良の形態】
【０００６】
考案を実施するために最良の形態の例として以下のような実施例を示す。
【実施例１】
【０００７】
図１〜図４には本考案のインナーポケット付き巻タオルの一実施例が示されている。
図２に示されるように、このインナーポケット付き巻タオル１０のタオル体１２はタオル生地を大きな矩形状にカットして形成されている。このタオル体１２の上端部１２Ａには布で形成されたゴム紐挿入部１４が横方向（図２矢印方向）に向って形成されている。
このゴム紐挿入部１４の内部には弾性体としてのゴム紐１６（図４参照）が挿入されている。このゴム紐１６の一端部１６Ａは前記ゴム紐挿入部１４の一端部１４Ａと縫着され、他端部１６Ｂは前記ゴム紐挿入部１４の他端部１４Ｂと縫着されている。従って、図２及び図３に示されるように前記タオル体１２の上端部１２Ａは横方向（図２、図３矢印方向）に伸縮可能になっている。
図２及び図３に示されるように、前記ゴム紐挿入部１４の一端部１４Ａとタオル体１２の一端部１２Ｂには第１係止具としてのオスボタン１８Ａが複数個取り付けられている。また、前記ゴム紐挿入部１４の他端部１４Ｂとタオル体１２の他端部１２Ｃには前記オスボタン１８Ａと係止可能な第２係止具としてのメスボタン１８Ｂが複数個取り付けられている。
図３に示されるように、前記タオル体１２の内側面１２Ｄの中間部にはポケット２０が形成されている。このポケット２０には下着や生理用品等を収容することができるようになっている。
【０００８】
次に実施例のインナーポケット付き巻タオル１０の作用について説明する。
このインナーポケット付き巻タオル１０を使用して海水浴をした後に服に着替えをする場合は、まず、前記タオル体１２で身体を拭く。
そして、前記タオル体１２を巻くようにして一端部１２Ｂと他端部１２Ｃを接近させて前記オスボタン１８Ａと前記メスボタン１８Ｂとを嵌める。これにより、インナーポケット付き巻タオル１０は大きな円筒状になり、図１に示されるようにインナーポケット付き巻タオル１０を被るようにして頭をリング状になったゴム紐挿入部１４から出す。
このため、前記タオル体１２が身体に巻き付けられ状態になり、身体の大部分を隠すことができる。しかも、上述したように前記インナーポケット付き巻タオル１０は大きな円筒状になると共にゴム紐挿入部１４はゴム紐１６によりすぼまった状態になるのでインナーポケット付き巻タオル１０は手で持っていなくてもずり落ちることがないので、両手を自由に使えることができる。
従って、着ている水着を簡単に脱ぐことができ、また、タオル体１２の内側面１２Ｄに形成されているポケット２０に予め収容されている下着を取り出して下着を着けることができる。
この結果、従来のようにバッグ等から下着を取り出して下着を着ける必要がないので下着を第三者に見られるという不快感を感じることがなく、さらにバッグ等から下着を取り出す必要がないのでスムーズに下着を着けることができる。
さらに、前記ゴム紐挿入部１４はゴム紐１６によりすぼまった状態になるのでインナーポケット付き巻タオル１０は手で持っていなくてもずり落ちる心配がないので、両手を自由に使えることができ着替えをよりスムーズに行うことができる。
そして、最後に服を着ることにより着替えが終了する。
【０００９】
なお、前記実施例のインナーポケット付き巻タオル１０においてはタオル体１２のゴム紐挿入部１４の一端部１４Ａとタオル体１２の一端部１２Ｂにはオスボタン１８Ａを取り付け、ゴム紐挿入部１４の他端部１４Ｂとタオル体１２の他端部１２Ｃにはメスボタン１８Ｂが取り付けて係止するようにしたが、ボタンの代わりにマジックテープ（登録商標）を取り付けて係止するようにしてもよいことは勿論である。
また、実施例ではポケット２０に下着や生理用品を収容する場合を示したが、ポケット２０を大きく形成して下着や生理用品だけでなくＴシャツ等の服を収容できるようにしてもよいことは勿論である。
なお、前記実施例ではインナーポケット付き巻タオル１０を海岸で着替える場合に使用する例を説明したが、インナーポケット付き巻タオル１０は他の場所で使用してもよいことは勿論である。
また、前記実施例では海水浴をした後に水着から服に着替えをする場合を例にして説明したが、これに限定されるものでなく海水浴をする前に予めポケット２０に水着を収容しておいて服から水着に着替える場合にインナーポケット付き巻タオル１０を使用してもよいことは勿論である。
【図面の簡単な説明】
【００１０】
【図１】実施例のインナーポケット付き巻タオルの使用状態を示す全体斜視図である。
【図２】実施例のインナーポケット付き巻タオルの正面図である。
【図３】実施例のインナーポケット付き巻タオルのゴム紐を伸ばした状態の背面図である。
【図４】実施例のインナーポケット付き巻タオルの一部切欠拡大図である。
【符号の説明】
【００１１】
１０    インナーポケット付き巻タオル
１２    タオル体
１４    ゴム紐挿入部
１６    このゴム紐
１８Ａ  オスボタン
１８Ｂ  メスボタン
２０    ポケット
【図１】
0003116864.tif 000003
【図２】
0003116864.tif 000004
【図３】
0003116864.tif 000005
【図４】
0003116864.tif 000006